(57)【特許請求の範囲】
【請求項１】
容器本体と、該容器本体にヒンジ部を介して取り付けられた蓋からなる包装容器であって、
前記蓋の中央部分には、指を入れて蓋を持てるように窪みからなる取っ手部と、この取っ手部の前側の上端に後方に張り出した張り出し部が設けられており、
前記蓋を前記容器本体に対してスライドさせると、前記蓋と前記容器本体を係止する係止部が解除されるように構成され、かつ、前記蓋を前記容器本体に対して、前記係止部が係止している位置に押圧する押圧機構が設けられており、
係止部が解除された状態で前記張り出し部を持ち上げるという動作により蓋を開けることができることを特徴とするチャイルドプルーフ用包装容器。
【請求項２】
前記ヒンジ部が前記蓋に設けられた円柱状の軸と、前記容器本体に設けられた長孔の軸受けからなり、前記軸が長孔の前記軸受けの中で長手方向に移動することにより、前記蓋が前記容器本体に対して、スライドすることを特徴とする請求項１に記載のチャイルドプルーフ用包装容器。
【請求項３】
前記押圧機構が、前記容器本体に設けられた弾性板と前記蓋に設けられた押圧部からなり、この弾性板が垂直に上方に伸びる部分のみから成り、前記弾性板で前記押圧部を押圧することを特徴とする請求項１または２に記載のチャイルドプルーフ用包装容器。
【請求項４】
前記蓋が略垂直に開いた中間位置で保持されるように、前記弾性板と接する前記押圧部の外端部が、平坦になっている部分を有することを特徴とする請求項３に記載のチャイルドプルーフ用包装容器。
【発明の詳細な説明】
【技術分野】
【０００１】
本発明は、包装容器に関するものである。特に、内容物を取り出すために繰り返し開閉される包装容器であって、幼児等が容器内の内容物を誤飲するのを防止するために、単純な動作では開かないようにした包装容器に関するものである。
【背景技術】
【０００２】
家庭用の医薬品などで錠剤やカプセルなどの固形の複数の内容物を収納した包装容器があるが、このような包装容器では、内容物を初回開封時に全て消費することがなく、残りの内容物を再封して保存し、繰り返し開閉して内容物を取り出し使用される。
【０００３】
このような内容物には、医薬品のほか害虫駆除剤や、洗浄剤などがあり、子供が誤って飲むと体に悪影響の出るものが多くある。そのために近年、チャイルドプルーフの概念がもたらされ、単純な動作では開封されないようにした包装容器が出てきた。
【０００４】
このようなチャイルドプルーフに対応した容器としては、キャップを下に押しながら、あるいは、横に押しながら廻さないと開けられない容器などがある。このような２つの動作を同時にあるいは順次行わなければ開けられないようになっている。
【０００５】
また、コンパクト容器で用途は異なるが、収容部を有する容器本体と、この容器本体の収容部を閉塞するとともに上面が開口された収容部を有する中蓋と、この中蓋の収容部を閉塞する上蓋とを備え、これらの後縁部の軸を中心に回動自在に連結したコンパクト容器がある。
【０００６】
このコンパクト容器は、容器本体の前縁部に設けた係止片と、上蓋の前縁部に設けた係止フックとの係合によって、容器本体と中蓋と上蓋とが閉塞させられ、中蓋が軸に前後方向に移動自在に支持されていて、且つ、この中蓋の前縁部には、中蓋の移動により上蓋の係止フックを押圧して、係止片と係止フックとの係合を解除する傾斜面が形成され、中蓋の後縁部には、この中蓋を開口方向に回動させるレバーが設けられていて、中蓋を前方に移動させることによって開けられるようになっている（特許文献１）。この容器では、中蓋を前方に移動する動作と、蓋を開ける動作を両手で行う必要があり、片手で開けることは難しい。
【０００７】
公知文献を以下に示す。
【先行技術文献】
【特許文献】
【０００８】
【特許文献１】実公昭６１−２５６８３号公報
【発明の概要】
【発明が解決しようとする課題】
【０００９】
本発明は上記のような事情に鑑みてなされたもので、片手で蓋を開けることができるが、複数の動作が必要で、幼児等が開けることが出来ず、容器内の内容物を誤飲するのを防止することのできる包装容器を提供することを課題としている。
【課題を解決するための手段】
【００１０】
本発明は係る課題に鑑みなされたものであり、請求項１の発明は、容器本体と、該容器本体にヒンジ部を介して取り付けられた蓋からなる包装容器であって、
前記蓋の中央部分には、指を入れて蓋を持てるように窪みからなる取っ手部と、この取っ手部の前側の上端に後方に張り出した張り出し部が設けられており、
前記蓋を前記容器本体に対してスライドさせると、前記蓋と前記容器本体を係止する係止部が解除されるように構成され、かつ、前記蓋を前記容器本体に対して、前記係止部が係止している位置に押圧する押圧機構が設けられており、
係止部が解除された状態で前記張り出し部を持ち上げるという動作により蓋を開けることができることを特徴とするチャイルドプルーフ用包装容器である。
【００１１】
本発明の請求項２の発明は、前記ヒンジ部が前記蓋に設けられた円柱状の軸と、前記容器本体に設けられた長孔の軸受けからなり、前記軸が長孔の前記軸受けの中で長手方向に移動することにより、前記蓋が前記容器本体に対して、スライドすることを特徴とする請求項１に記載のチャイルドプルーフ用包装容器である。
【００１２】
本発明の請求項３の発明は、前記押圧機構が、前記容器本体に設けられた弾性板と前記蓋に設けられた押圧部からなり、この弾性板が垂直に上方に伸びる部分のみから成り、前記弾性板で前記押圧部を押圧することを特徴とする請求項１または２に記載のチャイルドプルーフ用包装容器である。
【００１３】
本発明の請求項４の発明は、前記蓋が略垂直に開いた中間位置で保持されるように、前記弾性板と接する前記押圧部の外端部が、平坦になっている部分を有することを特徴とする請求項３に記載のチャイルドプルーフ用包装容器である。
【発明の効果】
【００１４】
本発明の包装容器は、片手で蓋を開けることができるが、複数の動作が必要で、幼児等が開けることの出来ず、容器内の内容物を誤飲するのを防止することができる。
【図面の簡単な説明】
【００１５】
【図１】本発明の包装容器の一例を模式的に斜視で示した説明図である。
【図２】本発明の包装容器の一例の容器本体を模式的に斜視で示した説明図である。
【図３】本発明の包装容器の一例の蓋を裏返した状態を模式的に斜視で示した説明図である。
【図４】本発明の包装容器の一例を左右中央の縦断面の上半分を模式的に示した説明図である。
【図５】本発明の包装容器の一例のヒンジ部を模式的に示した説明図である。
【図６】本発明の包装容器の一例で蓋をスライドさせた状態で左右中央の縦断面の上半分を模式的に示した説明図である。
【図７】本発明の包装容器の一例で蓋を略垂直に開いた中間位置で保持した状態で左右中央の縦断面の上半分を模式的に示した説明図である。
【図８】本発明の包装容器の一例の押圧機構を模式的に示した説明図である。
【図９】本発明の包装容器の一例で蓋を完全に開いた状態で左右中央の縦断面の上半分を模式的に示した説明図である。
【発明を実施するための形態】
【００１６】
以下、本発明を実施するための形態につき説明する。
図１は、本発明の包装容器の一例を模式的に斜視で示した説明図、図２は、本発明の包装容器の一例の容器本体を模式的に斜視で示した説明図、図３は、本発明の包装容器の一例の蓋を裏返した状態を模式的に斜視で示した説明図である。
【００１７】
本例の包装容器１００は、図１、図２、図３の斜視図に示すように、内部に内容物収納部が設けられ、上端が開放された容器本体１と、容器本体１の開放された上端を塞ぐ蓋２からなっていて、容器本体１および蓋２は、ポリプロピレンなどの熱可塑性樹脂からなり、インジェクション成型などにより成型されている。
【００１８】
蓋２の中央部分には、指を入れて蓋を持てるように窪みからなる取っ手部３が設けられている。また、後部にはヒンジ部が設けられ、ヒンジ部で容器本体１と蓋２が連結されて
いる。
【００１９】
図２に示すように、容器本体１側の本体側ヒンジ部４は後方に飛び出して設けられ、左右に軸受け板５が設けられ、軸受け板５には、長手方向が前後方向となる長孔の軸受け６が設けられている。また、本体側ヒンジ部４には垂直に上方に伸びる弾性板７が設けられている。
【００２０】
図３の蓋２を裏返した状態を模式的に斜視で示した説明図に示すように、裏側からは盛り上がって見える取っ手部３が中央部分にあり、ヒンジ部は、蓋２の天板の後部分に設けられ、軸８が蓋２から突き出した軸台座部９に左右外方向に伸びるように設けられている。
【００２１】
また、容器本体１の弾性板７を押圧する押圧部１０が蓋２に一体となって設けられている。そして、押圧部１０と押圧部１０の間には、蓋２が変形しないようにリブ１１が設けられている。リブ１１は、本体側ヒンジ部４の弾性板７とぶつからない位置に設けている。更に、軸台座部９の根元には、容器本体１の軸受け板５が当たらないように切れ込み１２が設けられている。
【００２２】
本包装容器を開ける方法について以下説明する。
図４は、本発明の包装容器の一例を左右中央の縦断面の上半分を模式的に示した説明図、図５は、本発明の包装容器の一例のヒンジ部を模式的に示した説明図、図６は、本発明の包装容器の一例で蓋をスライドさせた状態で左右中央の縦断面の上半分を模式的に示した説明図、図７は、本発明の包装容器の一例で蓋を略垂直に開いた中間位置で保持した状態で左右中央の縦断面の上半分を模式的に示した説明図、図８は、本発明の包装容器の一例の押圧機構を模式的に示した説明図、図９は、本発明の包装容器の一例で蓋を完全に開いた状態で左右中央の縦断面の上半分を模式的に示した説明図である。
【００２３】
図４に示すように、包装容器１００が閉じている状態では、押圧機構の押圧部１０が、弾性板７により後方に押圧され、蓋２が後方に押されて位置している。そして包装容器１００の前部では本体側係止突起１３に蓋側係止突起１４が引っ掛かり係止部を形成し、蓋２が上方に開かないようになっている。尚、窪んだ取っ手部３の前側の上端は、後方に張り出した張り出し部１５が設けられていて、ここに指先を掛けることができ、上に持ち上げるときに持ち上げやすくなっている。
【００２４】
窪んだ取っ手部３に指を入れて前方に引っ張ると、ヒンジ部では、図５のように、軸受け板５の長孔の軸受け６の中で、後方に位置していた軸８が前方に移動し、図６のように蓋２が容器本体１に対して前方にスライドする。
【００２５】
そして、押圧部１０が、弾性板７を前方に押して、弾性板７が押圧部１０を押し返すように押圧された状態で、弾性板７が曲がる。また、係止部では、蓋側係止突起１４が本体側係止突起１３に対して前方に移動し係止が外れ、蓋２を持ち上げられるようになる。
【００２６】
ここで、窪んだ取っ手部３の前側の上端の後方に張り出した張り出し部１５に指先を掛けて上に持ち上げれば、蓋２を開くことができる。このように、前方に引っ張るという動作を行い、前方に引っ張っているという動作と同時に上に持ち上げるという動作を行うことで初めて蓋２を開けることができる。
【００２７】
このように、複数の動作を行わなければ蓋２を開けることが出来ないので、幼児等が開けることが出来ず、包装容器１００内の内容物を誤飲することが防止できる。また、大人であれば、手を持ち替えることもなく、片手で一連の動作で蓋２を開けることができ、利
便性もよい。
【００２８】
前述のように蓋２を開けると、蓋２はヒンジ部の軸受け６の前方に位置した軸８を中心に回動する。そして、図７のように、蓋２を略垂直に開いた中間位置では、図８のように、弾性板７と接する押圧部１０の外端部に、平坦になっている平坦部分１６があるので、この状態で安定し、この中間位置で蓋２を開いた状態で保持することができる。
【００２９】
そして、更に開いて行くと、図９のように、蓋２が容器本体１の本体側ヒンジ部４の後の壁の上端１７にぶつかり、ここで止まる。このように、蓋２を略１８０°の角度まで開くことができる。
【００３０】
このように、蓋２を略垂直に開いた中間位置で止めたり、略１８０°の角度の水平になるまで開いたりすることができるので、中の内容物を取り出すときの状況により、使い分けることができる。
【００３１】
以上のように、本発明の包装容器を用いることにより、片手で前方に引っ張るという動作を行い、前方に引っ張っているという動作と同時に上に持ち上げるという動作を行うことで初めて蓋を開けることができる。このため、幼児等が開けることができず、容器内の内容物を誤飲するのを防止することができる。
【００３２】
また、大人であれば、手を持ち替えることもなく、片手で前方に引っ張るという動作を行い、そのまま、前方に引っ張っているという動作と同時に上に持ち上げるという動作を一連の動作として行い、蓋を開けることができるので利便性もよい。
【符号の説明】
【００３３】
１００・・・包装容器
１・・・容器本体
２・・・蓋
３・・・取っ手部
４・・・本体側ヒンジ部
５・・・軸受け板
６・・・長孔の軸受け
７・・・弾性板
８・・・軸
９・・・軸台座部
１０・・・押圧部
１１・・・リブ
１２・・・切れ込み
１３・・・本体側係止突起
１４・・・蓋側係止突起
１５・・・張り出し部
１６・・・平坦部分
１７・・・上端
【図１】
0006551652.tif 000002
【図２】
0006551652.tif 000003
【図３】
0006551652.tif 000004
【図４】
0006551652.tif 000005
【図５】
0006551652.tif 000006
【図６】
0006551652.tif 000007
【図７】
0006551652.tif 000008
【図８】
0006551652.tif 000009
【図９】
0006551652.tif 000010